(57)【特許請求の範囲】
【請求項１】
床下点検口の外枠に嵌り込み周囲が内枠で囲まれた開閉自在な蓋体に丸孔を貫通して形成し、丸孔に蓋体の厚みよりも長さの短い筒状のガイド部材を上方より圧入させ、上端にガイド部材の内径よりも大きな板状の把持部を備え、この把持部の中央部から下方に延びる断面正方形の軸部を一体に備えるとともに軸部の下端に外周が軸部の外面よりも外方に張り出すストッパー部を一体に備えた把持部材の把持部より下側をガイド部材の内部に挿入させ、前記ストッパー部および軸部が丸孔の下方に突出した状態で、中心からずれた位置に前記ストッパー部よりもやや大きめの孔部が形成され、またこの孔部に連なるように中心に前記軸部よりもやや大きめでストッパー部より小さな角型の孔部が形成されてなる抜け止め用プレートを蓋体の裏面側に位置させ、丸孔の下方に突出するストッパー部および軸部を前記ストッパー部よりもやや大きめの孔部に挿入して軸部をストッパー部より小さな孔部に位置させ、かかる状態で抜け止め用プレートを蓋体の裏面にビス止めしてなることを特徴とする床下点検口の取手取り付け部構造。
【発明の詳細な説明】
【０００１】
【発明の属する技術分野】
本発明は床下点検口の取手取り付け部構造に関するものである。
【０００２】
【従来の技術】
従来から知られている床下点検口の取手は取手部材とこの取手部材を回転可能に支持する本体部とからなり、このような取手を床下点検口の蓋板に取り付けるために本体部が嵌り込む角型の孔部を蓋板に形成しなければならないという問題があった。つまり、本体部の形、大きさに合った角型の孔部を蓋板に形成する必要があり、このような作業は殆どの場合、床下点検口の取り付け工事現場で行なわれており、熟練を要する作業であった。
【０００３】
【発明が解決しようとする課題】
本発明はこのような課題を解決するもので、前記従来例のような角型の孔部を蓋板に形成する必要がなく、ドリルにより簡単な丸孔を蓋板に形成することにより取手の取り付けが行なえるようにすることを目的とする。
【０００４】
【課題を解決するための手段】
この課題を解決するために本発明は、床下点検口の外枠に嵌り込み周囲が内枠で囲まれた開閉自在な蓋体に丸孔を貫通して形成し、丸孔に蓋体の厚みよりも長さの短い筒状のガイド部材を上方より圧入させ、上端にガイド部材の内径よりも大きな板状の把持部を備え、この把持部の中央部から下方に延びる断面正方形の軸部を一体に備えるとともに軸部の下端に外周が軸部の外面よりも外方に張り出すストッパー部を一体に備えた把持部材の把持部より下側をガイド部材の内部に挿入させ、前記ストッパー部および軸部が丸孔の下方に突出した状態で、中心からずれた位置に前記ストッパー部よりもやや大きめの孔部が形成され、またこの孔部に連なるように中心に前記軸部よりもやや大きめでストッパー部より小さな角型の孔部が形成されてなる抜け止め用プレートを蓋体の裏面側に位置させ、丸孔の下方に突出するストッパー部および軸部を前記ストッパー部よりもやや大きめの孔部に挿入して軸部をストッパー部より小さな孔部に位置させ、かかる状態で抜け止め用プレートを蓋体の裏面にビス止めしてなることを要旨とするものである。
【０００５】
この構成により、前記従来例のような角型の孔部を蓋板に形成する必要がなく、ドリルにより簡単な丸孔を蓋板に形成することにより取手の取り付けを行なえるようになり、床下点検口の取り付け工事現場で熟練を要することなく作業を行なうことができる。
【０００６】
【発明の実施の形態】
以下、本発明の一実施の形態について、図面に基づいて説明する。
図１〜図３において、１は建物内の床２に形成された開口部３に嵌め込まれて取り付けられるアルミニウムを材料として作られた外枠で、開口部３の内周面に沿う四方の立ち上がり壁４と、この立ち上がり壁４の上端に外側に直角に向いて連設され前記開口部３周りの床２の上面に当接する鍔部５と、前記立ち上がり壁４の下端に内側に直角に向いて連設されアルミニウムを材料として作られた内枠６を受ける受け部７とを一体に備えている。さらに詳しくは、前記床２は開口部３を囲む部分の下側が木材からなる根太８により受けられ、この根太８の前記開口部３側の側面に前記外枠１を受ける木材からなる受桟９が釘１０打ちにより設けられ、前記外枠１の前記受け部７よりも下側に形成された下端部１１を前記受桟９の上に載せ、外枠１の立ち上がり壁４の外側に上下に形成されたリブ１２を前記開口部３の内周面に近接させ、立ち上がり壁４を床２の端面にビス１３止めしている。
【０００７】
また、前記内枠６は四方の立ち上がり壁１４と、この立ち上がり壁１４の下端に内側に直角に向いて連設されて蓋体１５を受ける板部１６と、立ち上がり壁１４の上端に内側に直角に向いて連設され蓋体１５の上面に当接する鍔部１７とを備え、立ち上がり壁１４を蓋体１５の外周面に近接させ、蓋体１５の外周面に対して直角に蓋体１５にビス１８止めされている。なお、前記蓋体１５は前記床２と同材料で作られている。
【０００８】
上記のような床下点検口において、内枠６で囲まれた蓋体１５を外枠１から持ち上げるために蓋体１５に取手を取り付ける必要がある。そこで、本実施の形態では取手を取り付けるために蓋体１５にドリルにより丸孔１９を貫通して形成し、丸孔１９に丸孔１９の深さ、即ち蓋体１５の厚みよりも長さの短い筒状のガイド部材２０を上方より圧入させ、かかる状態で上端にガイド部材２０の内径よりもはるかに大きな板状の把持部２１を備え、この把持部２１の中央部から下方に延びる断面正方形の軸部２２を一体に備えるとともに軸部２２の下端に外周が軸部２２の外面よりも外方に張り出す円形のストッパー部２３を一体に備えた把持部材２４をガイド部材２０の上方に位置せしめ、この把持部材２４の把持部２１より下側をガイド部材２０の内部に挿入させる。これにより把持部２１はガイド部材２０の上面を覆うように蓋体１５上に載り、前記ストッパー部２３および軸部２２は丸孔１９の下方に突出する。前記把持部２１を蓋体１５上に載せ、ストッパー部２３および軸部２２を丸孔１９の下方に突出させた状態で把持部材２４の抜け止め用プレート２５を蓋体１５の裏面にビス２６止めする。ところで、抜け止め用プレート２５には中心からずれた位置に前記円形のストッパー部２３よりもやや大径の円形の孔部２７が形成され、またこの孔部２７に連なるように抜け止め用プレート２５には中心に前記軸部２２よりもやや大きめでストッパー部２３より小さな角型の孔部２８が形成され、さらにこの角型の孔部２８の形成部を含む範囲で抜け止め用プレート２５の中央部を上方に膨らませてあり、この膨らみ部２９を前記蓋体１５の丸孔１９の下端に嵌り込ませて抜け止め用プレート２５の位置決めを行なうように構成されている。そして、このように構成された抜け止め用プレート２５を蓋体１５の裏面にビス２６止めする前に、丸孔１９の下方に突出するストッパー部２３および軸部２２を前記孔部２７に挿入して軸部２２を孔部２８に位置させ、かかる状態で抜け止め用プレート２５を蓋体１５の裏面にビス２６止めすることにより蓋体１５に対する取手の取り付けが完了する。
【０００９】
上記構成において、周囲が内枠６で囲まれた蓋体１５を外枠１から持ち上げるときは把持部２１を持ち上げることによりストッパー部２３が抜け止め用プレート２５の孔部２８の下面に当接して係合する結果、蓋体１５も持ち上がり、床下点検口を開口することができる。
【００１０】
ところで、図面に示す実施の形態において、前記把持部材２４の把持部２１の下面と軸部２２の上端との間には把持部２１側から前記軸部２２よりも大径で前記ガイド部材２０の内径よりも僅かに小さな外径を持つ軸部３０と、この軸部３０から下向きに窄まるテーパー部３１が存在しており、持ち上げた蓋体１５を降ろして外枠１に嵌め込んだ後、把持部材２４から手を離すことにより把持部材２４が傾いて落下しても前記テーパー部３１がガイド部材２０の上端に当接しながら、つまり案内されながら下降して軸部３０がガイド部材２０の内部に導かれ、把持部材２４の把持部２１を蓋体１５の上面定位置に載せることができる。
【００１１】
【発明の効果】
以上のように本発明によれば、前記従来例のような角型の孔部を蓋板に形成する必要がなく、ドリルにより簡単な丸孔を蓋板に形成することにより取手の取り付けを行なえるようになり、床下点検口の取り付け工事現場で熟練を要することなく作業を行なうことができる。
【図面の簡単な説明】
【図１】本発明の一実施の形態における床下点検口の取手取り付け部構造の分解斜視図である。
【図２】同床下点検口の取手取り付け部の断面図である。
【図３】同把持部材を持ち上げた状態を示す断面図である。
【符号の説明】
１    外枠
２    床
３    開口部
６    内枠
１５    蓋体
１９    丸孔
２０    ガイド部材
２１    把持部
２２    軸部
２３    ストッパー部
２４    把持部材
２５    抜け止め用プレート
２６    ビス
２７    孔部
２８    孔部
【図１】
0003907437.tif 000002
【図２】
0003907437.tif 000003
【図３】
0003907437.tif 000004